(57)【要約】【課題】ポータブルディスク構造を提供する。【解決手段】設置ベース片側には欠口を設置し、該回路板一端は連接端子で、該回路板上には指紋識別器を設置し、該回路板は該滑動台板の底側に嵌設し、これにより該指紋識別器は該滑動台板の表面に露出する。該滑動台板の両側は該可動フレーム体内側面の下スライド槽に嵌設し、該滑動キーの両側辺は該可動フレーム体の該可動フレーム体内側面の上スライド槽に嵌設する。しかも該滑動キーは下方へと向かい突起ブロックを設置し、該突起ブロックは該滑動台板両側の長方形凹槽道に対応し、該突起ブロックは該長方形凹槽道中においてスライド移動する。使用時には指で該滑動キーを前方( 連接端子の方向) へと動かし、指紋識別器を露出させる。該滑動キーは続けて前方へと該滑動台板を連動し前方へと移動させ、該連接端子は該設置ベースより露出する。【選択図】図６
0003118051.tif 000002
【実用新案登録請求の範囲】
【請求項１】
設置ベース、回路板、滑動台板、滑動キー、可動フレーム体により構成し、
該設置ベースには欠口を設置し、
該回路板一端は連接端子で、該回路板上には指紋識別器を設置し、
該滑動台板には開口部を設置し、該開口部は該回路板の指紋識別器に対応し、該回路板は該滑動台板の底側に嵌設し、該指紋識別器は該滑動台板の表面に露出し、該滑動台板の両側には棒状突起を形成し、該滑動台板上表面両側には凹槽道を形成し、
該滑動キーの両側には棒状突起を横向きに設置し、下方へと向かい突起ブロックを設置し、該突起ブロックは該滑動台板両側の長方形凹槽道に対応し、
該可動フレーム体の中央は開口部で、該可動フレーム体内側には一対の下スライド槽と一対の上スライド槽を設置し、該滑動台板両側の棒状突起は該可動フレーム体の下スライド槽中に嵌入し、これにより該滑動台板は該可動フレーム体内部において前後にスライド移動を行し、該滑動キー両側の棒状突起は該可動フレーム体の上スライド槽中に対応嵌入し、こうして該滑動キーは該可動フレーム体の開口部において前後スライド移動を行うことを特徴とするポータブルディスク構造。
【請求項２】
前記設置ベースの内側面には複数の嵌合片を設置し、
前記可動フレーム体側辺には下方へと向かう複数の嵌接片を設置し、該嵌接片は嵌合孔を設置し、前記設置ベースの複数の嵌合片に対応し嵌合することを特徴とする請求項１記載のポータブルディスク構造。
【請求項３】
前記回路板には嵌合孔を開設し、
前記滑動台板は下方へ向かい嵌合フックを設置し、該嵌合フックは前記回路板の嵌合孔に対応し嵌接することを特徴とする請求項１記載のポータブルディスク構造。
【請求項４】
前記可動フレーム体の上スライド槽の両端にはそれぞれ第一定位凹槽、第二定位凹槽を設置し、
前記可動フレーム体の突起ブロック横には凹欠口を設置し、前記滑動キー表面において長方形の穿孔を設置し、前記滑動キーの下側には係合部品を設置し、
該係合部品は概ね板状を呈し、該係合部品上には板片である突起部品を設置し、該突起部品は前記滑動キーの穿孔表面において対応し突出し、該係合部品の両側には突起片を形成し、該突起片は前記滑動キーの凹欠口に対応し嵌設され、該係合部品の両側にはそれぞれU 型の嵌接部を形成し、該嵌接部の自由端により前記滑動キー下側面に固定組合わせ、こうして、該係合部品の突起片は該嵌接部に対応し上下に移動するフレキシビリティを具え、
力を受けていない時には、該係合部品の突起片水平位置は前記滑動キーの棒状突起よりやや高く、該係合部品の突起片を前記可動フレーム体の上スライド槽の第一定位凹槽或いは第二定位凹槽中に嵌入し、こうして前記滑動キーを固定し移動しないようにすることを特徴とする請求項１記載のポータブルディスク構造。
【考案の詳細な説明】
【技術分野】
【０００１】
本考案は一種のポータブルディスク構造に関する。特に一種の指を用い滑動キーを押し前方へとスライド移動させることにより、識別器表面及び連接端子を露出させ、或いは指を用い滑動キーを引き後方へと移動させ、連接端子を収縮、収蔵し、滑動キーは識別器を覆い、使用、収蔵共に便利なポータブルディスク構造に係る。
【背景技術】
【０００２】
公知の３．５インチフロッピー（登録商標）ディスクは容量が小さいため、使用は文字ファイルの保存に限られている。しかし、さまざまなインターネットアプリケーションソフトの使用が便利になるに連れて、各種商品、サービスのサプライヤはその商品、サービスの視覚効果を高め販売促進効果を達成するため、今では商用電子データファイル、文書ファイルの多くが図表、画像ファイルを含む。すなわち、各ファイルの容量は非常に大きく、３．５インチフロッピー（登録商標）ディスクでは保存できなくなって来ている。このため、ＵＳＢポータブルディスクが電子データファイルの保存に便利なツールとして徐々に普及している。
【０００３】
ＵＳＢポータブルディスクはコンパクトで記録容量が大きいという長所を具え、旅行の機会が多く、かつ各種データを携行しなければならない人などのニーズに適している。またＵＳＢポータブルディスクは広く消費者の支持を得た結果、価格が低下しており、普及の条件を満たしているため、既に電子データファイル携帯使用の主流の一つとなっている。
【０００４】
携行可能なＵＳＢポータブルディスク内には莫大な文書データを保存可能である他、使用においても極めて便利である。しかし、ＵＳＢポータブルディスクを遺失した時、個人のコンピュータデータベースから再び呼び出し保存することはできるが、しかし、現行のＵＳＢポータブルディスクには以下のような軽視できない欠点が存在する。
（ａ）すなわち公知のＵＳＢポータブルディスクには機密保持装置がないため、遺失時には、拾得者は簡単に内部に保存されていた各種の個人或いはビジネス関連の機密文書データを呼び出し、さらには使用することができ、個人或いは商業機密の漏洩を招き、予想もつかない大きな損失をもたらす恐れがある。
（ｂ）さらに、該ＵＳＢポータブルディスクは、使用しない時でもその連接端子は露出しているため、保護カバーを覆蓋しない或いは保護カバーを遺失した状態で落下させてしまった場合には、該連接端子は地面にぶつかり変形し使用不能となってしまう。
【考案の開示】
【考案が解決しようとする課題】
【０００５】
本考案は上記構造の問題点を解決したポータブルディスク構造を提供するものである。それは公知のＵＳＢ ポータブルディスクに保護、機密保持などにおける構造上の欠点と技術的問題を解決するものである。
【０００６】
上記課題を解決するため、本考案は下記のポータブルディスク構造を提供する。
それは設置ベース、回路板、滑動台板、滑動キー、可動フレーム体により構成し、
該設置ベース片側には欠口を設置し、該回路板一端は連接端子で、該回路板上には指紋識別器を設置し、該回路板は該滑動台板の底側に嵌設し、これにより該指紋識別器は該滑動台板の表面に露出し、該滑動台板の両側は該可動フレーム体内側面の下スライド槽に嵌設し、該滑動キーの両側辺は該可動フレーム体の該可動フレーム体内側面の上スライド槽に嵌設し、しかも該滑動キーは下方へと向かい突起ブロックを設置し、該突起ブロックは該滑動台板両側の長方形凹槽道に対応し、該突起ブロックは該長方形凹槽道中においてスライド移動し、
使用時には指で該滑動キーを前方( 連接端子の方向) へと動かし、指紋識別器を露出させ、該滑動キーは続けて前方へと該滑動台板を連動し前方へと移動させ、該連接端子は該設置ベースより露出し、
使用しない時には、指で該滑動キーを後方へと引き、該滑動キーは該指紋識別器を覆い、該滑動キーは継続し後方( 連接端子から離れる方向) へと該滑動台板を移動させ、該連接端子は該設置ベース中に縮入し、
また本考案は該滑動キーには係合部品を設置し、該指紋識別器、該連接端子が完全に露出する時には、該滑動キーは確実に係合定位され、或いは該指紋識別器において覆い、該連接端子が完全に縮入する時、該滑動キーは確実に係合定位され、使用及び収蔵の確実性を確保することを特徴とするポータブルディスク構造である。
【課題を解決するための手段】
【０００７】
請求項１の考案は、設置ベース、回路板、滑動台板、滑動キー、可動フレーム体により構成し、
該設置ベースには欠口を設置し、
該回路板一端は連接端子で、該回路板上には指紋識別器を設置し、
該滑動台板には開口部を設置し、該開口部は該回路板の指紋識別器に対応し、該回路板は該滑動台板の底側に嵌設し、該指紋識別器は該滑動台板の表面に露出し、該滑動台板の両側には棒状突起を形成し、該滑動台板上表面両側には凹槽道を形成し、
該滑動キーの両側には棒状突起を横向きに設置し、下方へと向かい突起ブロックを設置し、該突起ブロックは該滑動台板両側の長方形凹槽道に対応し、
該可動フレーム体の中央は開口部で、該可動フレーム体内側には一対の下スライド槽と一対の上スライド槽を設置し、該滑動台板両側の棒状突起は該可動フレーム体の下スライド槽中に嵌入し、これにより該滑動台板は該可動フレーム体内部において前後にスライド移動を行し、該滑動キー両側の棒状突起は該可動フレーム体の上スライド槽中に対応嵌入し、こうして該滑動キーは該可動フレーム体の開口部において前後スライド移動を行うことを特徴とするポータブルディスク構造としている。
請求項２の考案は、前記設置ベースの内側面には複数の嵌合片を設置し、
前記可動フレーム体側辺には下方へと向かう複数の嵌接片を設置し、該嵌接片は嵌合孔を設置し、前記設置ベースの複数の嵌合片に対応し嵌合することを特徴とする請求項１記載のポータブルディスク構造としている。
請求項３の考案は、前記回路板には嵌合孔を開設し、
前記滑動台板は下方へ向かい嵌合フックを設置し、該嵌合フックは前記回路板の嵌合孔に対応し嵌接することを特徴とする請求項１記載のポータブルディスク構造としている。
請求項４の考案は、前記可動フレーム体の上スライド槽の両端にはそれぞれ第一定位凹槽、第二定位凹槽を設置し、
前記可動フレーム体の突起ブロック横には凹欠口を設置し、前記滑動キー表面において長方形の穿孔を設置し、前記滑動キーの下側には係合部品を設置し、
該係合部品は概ね板状を呈し、該係合部品上には板片である突起部品を設置し、該突起部品は前記滑動キーの穿孔表面において対応し突出し、該係合部品の両側には突起片を形成し、該突起片は前記滑動キーの凹欠口に対応し嵌設され、該係合部品の両側にはそれぞれU 型の嵌接部を形成し、該嵌接部の自由端により前記滑動キー下側面に固定組合わせ、こうして、該係合部品の突起片は該嵌接部に対応し上下に移動するフレキシビリティを具え、
力を受けていない時には、該係合部品の突起片水平位置は前記滑動キーの棒状突起よりやや高く、該係合部品の突起片を前記可動フレーム体の上スライド槽の第一定位凹槽或いは第二定位凹槽中に嵌入し、こうして前記滑動キーを固定し移動しないようにすることを特徴とする請求項１記載のポータブルディスク構造としている。
【考案の効果】
【０００８】
本考案は使用時には指を用い滑動キーを押し前方( 連接端子の方向) へとスライド移動させることにより、指紋識別器及び連接端子を露出させ、使用しない時には指を用い滑動キーを引き後方( 連接端子から離れる方向) へと移動させ、滑動キーは指紋識別器を覆い、該滑動キーは継続し後方へと移動し、該連接端子は設置ベース中に縮入する。こうして操作がスムーズかつ自然で、人体動作の習慣性に合致し、また指紋識別器を収蔵、保護することができる。
【考案を実施するための最良の形態】
【０００９】
図１、２、５に示すように、本考案は設置ベース１０、回路板２０、滑動台板３０、滑動キー４０、可動フレーム体５０により構成する。
【００１０】
該設置ベース１０片側面には欠口１１を設置し、該設置ベース１０の内側面には嵌合片１２を設置する。
【００１１】
該回路板２０一端は連接端子２１で、該回路板２０上には指紋識別器２２を設置する。該回路板２０には嵌合孔２３を開設する。該回路板２０は該滑動台板３０の底側に嵌設し、該指紋識別器２２は該滑動台板３０の表面に露出する。
【００１２】
該滑動台板３０には開口部３１を設置し、該開口部３１は該回路板２０の指紋識別器２２に対応する。該滑動台板３０は下方へ向かい嵌合フック３２を設置し、該嵌合フック３２は該回路板２０の嵌合孔２３に対応し嵌接する。該滑動台板３０の両側には棒状突起３３を形成し、該滑動台板３０上表面両側には凹槽道３４を形成する。
【００１３】
該滑動キー４０の両側には棒状突起４０１を横向きに設置し、下方へと向かい突起ブロック４０２を設置する。該突起ブロック４０２は該滑動台板３０両側の凹槽道３４に対応する。該突起ブロック４０２横には凹欠口４０３を設置し、該滑動キー４０表面において穿孔４０４を設置する。
【００１４】
また該滑動キー４０の下側には係合部品４１を設置し、該係合部品４１は概ね板状を呈し、該係合部品４１上には板片である突起部品４１１を設置する。該突起部品４１１は該滑動キー４０の穿孔４０４表面において対応し突出する。該係合部品４１の両側には突起片４１２を形成し、該突起片４１２は該滑動キー４０の凹欠口４０３に対応し嵌設される。該係合部品４１の両側にはそれぞれU 型の嵌接部４１３を形成し、該嵌接部４１３の自由端により該滑動キー４０下側面に固定組合わせる。こうして、該係合部品４１の突起片４１２は該嵌接部４１３に対応し上下に移動するフレキシビリティを具える。図３に示すように、力を受けていない時には、該係合部品４１の突起片４１２位置は該滑動キー４０の棒状突起４０１よりやや高い。該係合部品４１の突起部品４１１を押し、該係合部品４１の突起片４１２と該滑動キー４０の棒状突起４０１を一直線にし、同時に該係合部品４１の突起片４１２に上向きの弾性回復力を生じさせる( 図４参照) 。
【００１５】
該可動フレーム体５０の中央は開口部５１で、該可動フレーム体５０側辺には下方へと向かう複数の嵌接片５２を設置する。該嵌接片５２は嵌合孔５２０を設置し、該設置ベース１０の複数の嵌合片１２に対応し嵌合する。該可動フレーム体５０内側には一対の下スライド槽５０１と一対の上スライド槽５０２を設置し、該上スライド槽５０２の両端にはそれぞれ第一定位凹槽５０３、第二定位凹槽５０４を設置する。該滑動台板３０両側の棒状突起３３は該可動フレーム体５０の下スライド槽５０１中に嵌入し、これにより該滑動台板３０は該可動フレーム体５０内部において前後にスライド移動を行う。該滑動キー４０両側の棒状突起４０１は該可動フレーム体５０の上スライド槽５０２中に対応嵌入し、こうして該滑動キー４０は該可動フレーム体５０の開口部５１において前後スライド移動を行う。
【００１６】
続いて図６、５、７に示すように、使用状態から収蔵状態への変化は、該滑動キー４０の係合部品４１の突起部品４１１を下方へと押し、該係合部品４１の突起片４１２を該可動フレーム体５０の上スライド槽５０２左端の第二定位凹槽５０４から離れさせ、該突起片４１２と該滑動キー４０の棒状突起４０１を一直線とする( 図４参照) 。こうして該滑動キー４０の固定状態を解除する。該滑動キー４０は右へと移動し( 該連接端子２１から離れる方向) 、該滑動キー４０は先ず該指紋識別器２２を覆う( 図８参照) 。この時、該滑動キー４０の突起ブロック４０２は該滑動台板３０の長方形の凹槽道３４中においてのみ滑動し、該長方形凹槽道３４の左端に接続し、該滑動台板３０の移動を連動せず、継続して該滑動キー４０を右に向けて最後まで引き動かす。該滑動キー４０の突起ブロック４０２は該滑動台板３０を右向きに移動させ、これにより該連接端子２１は該設置ベース１０中に完全に縮小し定位される( 図９参照) 。この時、該滑動キー４０の係合部品４１の突起片４１２はそれ自身の上方へと向かう弾性回復力により、該可動フレーム体５０の上スライド槽５０２右端の第一定位凹槽５０３中に嵌入し、該滑動キー４０は移動しないように固定される。
【００１７】
次に図５、６、１０に示すように、収蔵状態から使用状態への変化は、該滑動キー４０の係合部品４１の突起部品４１１を下方へと押し、該係合部品４１の突起片４１２を該可動フレーム体５０上の滑道５０２右端の第一定位凹槽５０３から離れさせ、該突起片４１２と該滑動キー４０の棒状突起４０１は一直線を呈し、該滑動キー４０の固定状態を解除する。該滑動キー４０は左( 該連接端子２１に向かう方向) へと押し、該滑動キー４０は先ず該指紋識別器２２を移動露出させる( 図１１参照) 。この時、該滑動キー４０の突起ブロック４０２は該滑動台板３０の長方形の凹槽道３４中においてのみスライド移動し該長方形の凹槽道３４の左端部に到達するだけで、該滑動台板３０の移動を連動しない。該滑動キー４０を左へと突き当りまで押し、該滑動キー４０の突起ブロック４０２は該滑動台板３０を連動し左へと移動させ、該連接端子２１は該設置ベース１０の欠口１１から完全に露出し、定位される( 図１２参照) 。この時、該滑動キー４０の係合部品４１の突起片４１２は該可動フレーム体５０の上スライド槽５０２左端の第二定位凹槽５０４中に嵌入し、該滑動キー４０は固定され移動することはない。
【図面の簡単な説明】
【００１８】
【図１】本考案実施例の細部立体分解図である。
【図２】本考案実施例の大掴み立体分解図である。
【図３】本考案実施例の滑動部品の立体組合せ断面図である。
【図４】図３の係合部品の突起部品を下方へと押し圧迫固定する指示図である。
【図５】滑動蓋を底端に引き戻し、滑動蓋が指紋識別器を覆い、かつ連接端子が内部に縮入し収蔵される状態を示す本考案実施例の立体組合せ図である。
【図６】滑動キーを頂端まで押し、指紋識別器と連接端子を露出させた使用状態を示す本考案実施例の立体組合せ図である。
【図７】図６の使用状態から図５の収蔵状態までの動作指示図である。
【図８】図６の使用状態から図５の収蔵状態までの動作指示図である。
【図９】図６の使用状態から図５の収蔵状態までの動作指示図である。
【図１０】図５の収蔵状態から図６の使用状態までの動作指示図である。
【図１１】図５の収蔵状態から図６の使用状態までの動作指示図である。
【図１２】図５の収蔵状態から図６の使用状態までの動作指示図である。
【符号の説明】
【００１９】
１０    設置ベース
１１    欠口
１２    嵌合片
２０    回路板
２１    連接端子
２２    指紋識別器
２３    嵌合孔
３０    滑動台板
３１    開口部
３２    嵌合フック
３３    棒状突起
３４    凹槽道
４０    滑動キー
４０１  棒状突起
４０２  突起ブロック
４０３  凹欠口
４０４  穿孔
４１    係合部品
４１１  突起部品
４１２  突起片
４１３  嵌接部
５０    可動フレーム体
５０１  下スライド槽
５０２  上スライド槽
５０３  第一定位凹槽
５０４  第二定位凹槽
５１    開口部
５２    嵌接片
５２０  嵌合孔
【図１】
0003118051.tif 000003
【図２】
0003118051.tif 000004
【図３】
0003118051.tif 000005
【図４】
0003118051.tif 000006
【図５】
0003118051.tif 000007
【図６】
0003118051.tif 000008
【図７】
0003118051.tif 000009
【図８】
0003118051.tif 000010
【図９】
0003118051.tif 000011
【図１０】
0003118051.tif 000012
【図１１】
0003118051.tif 000013
【図１２】
0003118051.tif 000014